(57)【要約】【課題】二酸化炭素とＯＨＭＡＳＡ−ＧＡＳとの反応による新規な燃料ガスの提供。【解決手段】二酸化炭素が９０％〜１０％、ＯＨＭＡＳＡ−ＧＡＳが１０％〜９０％の比率の混合ガスを、０．１ＭＰａ〜１０ＭＰａの圧力及び５℃〜５０℃温度において反応させることを特徴とする可燃性ガス体を製造する方法。【選択図】なし【特許請求の範囲】
【請求項１】
所定の混合比率の二酸化炭素とＯＨＭＡＳＡ−ＧＡＳとを、所定の圧力及び所定の温度において反応させることを特徴とする可燃性ガス体の製造方法。
【請求項２】
前記圧力は０．１ＭＰａ〜１０ＭＰａであることを特徴とする請求項１に記載の可燃性ガス体の製造方法。
【請求項３】
前記温度は５℃〜５０℃であることを特徴とする請求項１に記載の可燃性ガス体の製造方法。
【請求項４】
前記混合比率は、二酸化炭素が９０％〜１０％、ＯＨＭＡＳＡ−ＧＡＳが１０％〜９０％であることを特徴とする請求項１に記載の可燃性ガス体の製造方法。
【請求項５】
請求項１ないし請求項４の何れか１項に記載の方法により製造した可燃性ガス体を燃焼させる際に発生する二酸化炭素をリサイクルして、請求項１ないし請求項４の何れか１項に記載の方法に再利用することを特徴とするシステム。
【請求項６】
請求項１ないし請求項４の何れか１項に記載の方法により製造した可燃性ガス体は、プロパンガス及びメタンガスを含む化石燃料と任意の比率で混合して新たな燃料が生成できることを特徴とする可燃性ガス体。
【請求項７】
ＯＨＭＡＳＡ−ＧＡＳ発生装置及びガス混合タンクを含んで成るシステムであって、
前記ガス混合タンクは、前記発生装置からのＯＨＭＡＳＡ−ＧＡＳ、並びに外部のガス燃焼機からの排ガスの１０〜５０％を受け入れて、そこで二酸化炭素とＯＨＭＡＳＡ−ＧＡＳを反応させて新規の燃料ガスを合成することができることを特徴とするシステム。
【請求項８】
ＯＨＭＡＳＡ−ＧＡＳ発生装置の電解槽内の電極を構成する白金に二酸化炭素を直接に吹き付けて、発生するＯＨＭＡＳＡ−ＧＡＳと反応させて可燃性ガスを合成することを特徴とするシステム。
【請求項９】
可燃性ガス又は可燃性ガスとＯＨＭＡＳＡ−ＧＡＳの混合ガスを、発電機、ボイラー又は自動車の燃料として燃焼させ、大気中への二酸化炭素の新たな排出をほぼ無くすため、前記燃焼により発生する排ガス中の二酸化炭素を再度利用して、ＯＨＭＡＳＡ−ＧＡＳと反応させることを特徴とするシステム。
【発明の詳細な説明】
【技術分野】
【０００１】
本発明は、二酸化炭素と水をから生成した酸水素ガスとを反応させて、可燃性ガス体を製造する方法に関する。
【背景技術】
【０００２】
現在、二酸化炭素は地球温暖化の最大の要因と言われているが、この防止対策や別の化合物に変換して再利用する工業的対策や技術的方法は無く、経済の発展に伴って増加の一途をたどっており、その結果引き起こされる温暖化による地球環境への悪影響は想像を遥か超えるものとなっている。例えば、気温の高温化による異常気象、海流の変化による高潮、生態系への悪影響、渇水や洪水、海面上昇による陸地の水没、農作物の収穫不良による食物の不足など人類の生存を脅かす危機は枚挙に暇がない。従って、この二酸化炭素を再利用してその増加を抑えること急務である。
【０００３】
発明者は、以前に水を特殊な振動撹拌で電気分解を行うことにより、ナノ・マイクロバブル（酸素と水素ガスが微細な泡となったもの）が生成しこれが破裂することにより従来の酸水素ガスとは異なる安全な酸素と水素の結合体のガス（従来の酸水素ガスとの混同を避けるため、以後ＯＨＭＡＳＡ−ＧＡＳと称す）を得ることに成功している（特許文献１〜３）。このガスには、Ｈ２Ｏクラスターが含まれているため、従来の酸水素ガスのように爆発することはなく安全であることが確認されている（非特許文献１）。
【０００４】
このＯＨＭＡＳＡ−ＧＡＳを用いて溶接、溶断又はろうづけ等の作業を行う場合、アセチレンやプロパンガスを用いて実施する場合に比べて、約６０〜７０％のコスト低減が可能であること見出している（特許文献２、特許文献３）。また、ＯＨＭＡＳＡ−ＧＡＳ５０％＋ＬＰガス５０％の混合比で発電した場合、ＬＰガス１００％で発電した場合のコストの約半分、設備投資がほとんどかからないことも報告されている（非特許文献１）。
【先行技術文献】
【特許文献】
【０００５】
【特許文献１】特許第３９７５４６７号明細書
【特許文献２】特許第４０７６９５３号明細書
【特許文献３】特許第４５９９３８７号明細書
【非特許文献】
【０００６】
【非特許文献１】［平成２５年５月１５日検索］．インターネット＜ＵＲＬ：  ｈｔｔｐ：／／ｗｗｗ．ｏｈｍａｓａ−ｇａｓ．ｏｒｇ／０１ｐｒｏｊｅｃｔ．ｈｔｍｌ＞
【発明の概要】
【発明が解決しようとする課題】
【０００７】
本発明は、上記のようにＯＨＭＡＳＡ−ＧＡＳが特異な性質を有することに着目して、このガスを二酸化炭素と特殊結合させ、新燃料ガスを生成させることを目的としたものである。
【課題を解決するための手段】
【０００８】
上記課題は、以下の（１）〜（８）のいずれかの構成により解決される。
【０００９】
（１）所定の混合比率の二酸化炭素とＯＨＭＡＳＡ−ＧＡＳとを、所定の圧力及び所定の温度において反応させることを特徴とする可燃性ガス体の製造方法。
【００１０】
（２）前記圧力は０．１ＭＰａ〜１０ＭＰａであることを特徴とする前記（１）に記載の可燃性ガス体の製造方法。
【００１１】
（３）前記温度は５℃〜５０℃であることを特徴とする前記（１）に記載の可燃性ガス体の製造方法。
【００１２】
（４）前記混合比率は、二酸化炭素が９０％〜１０％、ＯＨＭＡＳＡ−ＧＡＳが１０％〜９０％であることを特徴とする前記（１）に記載の可燃性ガス体の製造方法。
【００１３】
（５）前記（１）ないし（４）の何れか１項に記載の方法により製造した可燃性ガス体を燃焼させる際に発生する二酸化炭素をリサイクルして、前記（１）ないし（４）の何れか１項に記載の方法に再利用することを特徴とするシステム。
【００１４】
（６）前記（１）ないし（４）の何れか１項に記載の方法により製造した可燃性ガス体は、プロパンガス及びメタンガスを含む化石燃料と任意の比率で混合して新たな燃料が生成できることを特徴とする可燃性ガス体。
【００１５】
（７）ＯＨＭＡＳＡ−ＧＡＳ発生装置及びガス混合タンクを含んで成るシステムであって、前記ガス混合タンクは、前記発生装置からのＯＨＭＡＳＡ−ＧＡＳ、並びに外部のガス燃焼機からの排ガスの１０〜５０％を受け入れて、そこで二酸化炭素とＯＨＭＡＳＡ−ＧＡＳを反応させて新規の燃料ガスを合成することができることを特徴とするシステム。
【００１６】
（８）ＯＨＭＡＳＡ−ＧＡＳ発生装置の電解槽内の電極を構成する白金に二酸化炭素を直接に吹き付けて、発生するＯＨＭＡＳＡ−ＧＡＳと反応させて可燃性ガスを合成することを特徴とするシステム。
【００１７】
（９）可燃性ガス又は可燃性ガスとＯＨＭＡＳＡ−ＧＡＳの混合ガスを、発電機、ボイラー又は自動車の燃料として燃焼させ、大気中への二酸化炭素の新たな排出をほぼ無くすため、前記燃焼により発生する排ガス中の二酸化炭素を再度利用して、ＯＨＭＡＳＡ−ＧＡＳと反応させることを特徴とするシステム。
【発明の効果】
【００１８】
本発明により、二酸化炭素を有効利用して、その削減を図ることができるので、地球温暖化の抑制が可能となった。また、二酸化炭素と反応させるＯＨＭＡＳＡ−ＧＡＳは、安価な深夜電力を利用して生成できるので、本発明による新燃料ガスは低コストで製造することが可能である。
【００１９】
地球の大気中に過剰に存在する二酸化炭素を新燃料として使えることを発見した事は、地球規模的な大発見である。
【発明を実施するための形態】
【００２０】
本発明の新燃料ガスの原料として用いる二酸化炭素は、大気中に存在するガス体でも、物体を燃焼して生成する二酸化炭素でもよく、特定の二酸化炭素を指定するものではなく、普通一般的に言われている二酸化炭素のいずれでもよい。
【００２１】
しかしながら、二酸化炭素と反応させる「酸水素ガス」は、従来の酸水素ガスではなく、発明者が既に権利化している方法（特許文献１〜３）によって得られる酸水素ガス（即ちＯＨＭＡＳＡ−ＧＡＳ）を用いないと反応しない。
【００２２】
以下、二酸化炭素とＯＨＭＡＳＡ−ＧＡＳとを反応させて新燃料を生成及びその結果得られた新燃料の燃焼試験の実施例を説明する。
【実施例１】
【００２３】
直径１００ｍｍ、高さ８００ｍｍ、容積約６．２８リットルの高圧ガラス管を真空引き（ゲージ圧−０．１ＭＰａ）した後、ＯＨＭＡＳＡ−ＧＡＳを０．３ＭＰａ（ゲージ圧）まで充填し、次いで０．８ＭＰａ（ゲージ圧）になるまで二酸化炭素を充填した。この混合ガスを１．５ＭＰａ（ゲージ圧）の圧力になるまで加圧機で圧縮した。圧縮後の高圧ガラス管の中には、水滴や蒸気など液状物と思われる物体は観察されず、気体のみであった。
【実施例２】
【００２４】
実施例１の混合反応ガスを１５分後にバーナーにて燃焼試験を行った。その結果、青味がかったシャープな火炎が観察された。もし、実施例１の気体が、単にＯＨＭＡＳＡ−ＧＡＳと二酸化炭素の混合気体ならば、燃焼するのはＯＨＭＡＳＡ−ＧＡＳガスのみであるから、以前に行ったＯＨＭＡＳＡ−ＧＡＳの燃焼試験から考えて、火炎の色は無色であるはずである。しかしながら、実施例１の気体を燃焼させた火炎の色は青味を帯びており、ＯＨＭＡＳＡ−ＧＡＳと二酸化炭素が反応して生成した炭素と水素及び酸素を有する新規な燃料ガスが生成されたことは明白である。また、この燃焼は３００℃〜５００℃の範囲であり、且つ安全で安定していた。
【実施例３】
【００２５】
実施例１で用いた高圧ガラス管に、二酸化炭素とＯＨＭＡＳＡ−ＧＡＳを７０：３０、５０：５０又は３０：７０の比率にとなるように混合し、ゲージ圧が１ＭＰａ及び１．５ＭＰａとなるまで圧縮した。圧縮後の高圧ガラス管の中には、水滴や蒸気など液状物と思われる物体は観察されず、気体のみであった。
【００２６】
このことから、上記の混合比率、圧縮圧力の範囲内では、液状物と思われる物体は観察されず、気体のみであることを確認した。
【実施例４】
【００２７】
実施例３で生成したガスを１５分、１週間、１ケ月経過した後にバーナーで燃焼試験を行った。その結果、実施例２と同様に、青味がかったシャープな火炎が観察され、時間経過による差異は無かった。
【実施例５】
【００２８】
実施例３と同様な条件において、温度を５℃、１５℃又は３０℃と変化させたが、高圧ガラス管の中には、水滴や蒸気など液状物と思われる物体は観察されず、気体のみであった。
【実施例６】
【００２９】
プロパンガス及びメタンガスを含む化石燃料を０．１〜５％、二酸化炭素を２０〜５０％、残部をＯＨＭＡＳＡ−ＧＡＳとなるように混合して反応させた。この反応生成物の燃焼試験を行ったところ、青色を帯びた火炎が観察され、このことにより、カーボンの燃焼が確認できた。プロパンガス及びメタンガスを含む化石燃料を０．５％、二酸化炭素を３５％、残部をＯＨＭＡＳＡ−ＧＡＳが最適な混合比率であった。
【００３０】
なお、上記実施例では高圧ガラス管にて反応させたが、生成した気体は従来から用いているステンレス、鋼板製の容器に保存したが、容器が変化することもなく安定していた。
【実施例７】
【００３１】
実施例３と同様な方法で、二酸化炭素とＯＨＭＡＳＡ−ＧＡＳの混合比率を変えて比較したところ、二酸化炭素が１０〜５０％、ＯＨＭＡＳＡ−ＧＡＳが９０〜５０％の混合比率において最適な燃焼を得ることができた。
【００３２】
２つの混合比率による熱量は下記の通りであった。
（１）二酸化炭素：２０％    ＯＨＭＡＳＡ−ＧＡＳ：８０％
４４．８ＭＪ／ｍ３（１０，７００Ｋｃａｌ／ｍ３）
（２）二酸化炭素：４０％    ＯＨＭＡＳＡ−ＧＡＳ：６０％
４３．９ＭＪ／ｍ３（１０，５００Ｋｃａｌ／ｍ３）
なお、測定は、一般的な気体の熱量測定に準じた方法により行った。
【００３３】
実施例に述べたように、ＯＨＭＡＳＡ−ＧＡＳは炭酸ガスと反応して、新規の燃料ガスを生成することが判明したので、ＯＨＭＡＳＡ−ＧＡＳ発生装置と組み合わせて、二酸化炭素を削減するシステムを構成することが可能となる。二酸炭素削減システムは、ＯＨＭＡＳＡ−ＧＡＳ発生装置及びガス混合タンク（クッションタンク）から成り、ガス混合タンクは、前記発生装置からのＯＨＭＡＳＡ−ＧＡＳ、並びに外部のガス燃焼機（エンジン、ボイラーなど）からの排ガスの１０〜５０％を受け入れて、そこで二酸化炭素とＯＨＭＡＳＡ−ＧＡＳを反応させて新規の燃料ガスを合成することができる。
【００３４】
更には、上記ガス混合タンクを省いて、二酸化炭素が１０〜５０％、ＯＨＭＡＳＡ−ＧＡＳが９０〜５０％の混合比率となるようにＯＨＭＡＳＡ−ＧＡＳ発生装置の電解槽内の電極を構成する白金に二酸化炭素を直接に吹き付けて、発生するＯＨＭＡＳＡ−ＧＡＳと反応させて新規の可燃性ガスを合成するも可能である。
【００３５】
これを更に発展させて、可燃性ガス又は可燃性ガスとＯＨＭＡＳＡ−ＧＡＳの混合ガスを、発電機、ボイラー又は自動車等の燃料として燃焼させ、その燃焼より発生する排ガス中の二酸化炭素を再度、ＯＨＭＡＳＡ−ＧＡＳと反応させて可燃性ガスを合成し、利用することで、大気中への新たな二酸化炭素の排出をほぼ無くすシステムを構築することも可能である。
【００３６】
これらのシステムにより、二酸化炭素の再利用及び削減が図られ、安価に新たな熱源が得られることになる。
【産業上の利用可能性】
【００３７】
本発明による、二酸化炭素とＯＨＭＡＳＡ−ＧＡＳを反応させて得られる新規の燃料ガスは、爆発などの危険もないので、家庭、自動車、船舶用の燃料など従来使用されていた化石燃料に置き換えるか、又は化石燃料と混合して幅広く使用できることが特徴である。
【手続補正書】
【提出日】平成29年12月22日(2017.12.22)
【手続補正１】
【補正対象書類名】特許請求の範囲
【補正対象項目名】全文
【補正方法】変更
【補正の内容】
【特許請求の範囲】
【請求項１】
二酸化炭素と、
水を振動撹拌で電気分解を行うことにより、ナノ・マイクロバブル（酸素と水素ガスが微細な泡となったもの）が生成しこれが破裂することに得られた酸素−水素結合体ガスと、
を所定の比率で混合して、容器内に圧縮貯蔵される可燃性ガス体。